(57)【要約】【課題】少ない捨て水で効率良く汚れ物質を除去して、浴槽水を浄化できる浴槽水浄化方法を提供する。【解決手段】浴槽水中にある毛髪，湯垢，皮脂等の汚れ物質Ｄを、バブル噴出口２ａから噴出される気泡を用いて浴槽水表層Ｗａへ浮上させ、水流噴出口２ｂから噴出される噴流で浴槽内に旋回流を発生させて、浮上した汚れ物質Ｄを集め、この集めた汚れ物質Ｄを排出口４から外部へ排出させて浴槽水を浄化する。【選択図】図１
2008167877.tif 000002
【特許請求の範囲】
【請求項１】
浴槽水中にある毛髪，湯垢，皮脂等の汚れ物質を、気泡を用いて浴槽水表層に浮上させ、旋回流により集めた後、浴槽外へ捨てることを特徴とする浴槽水浄化方法。
【請求項２】
浴槽水を旋回させるための噴流を浴槽の底面に向けて噴出させることにより、浴槽水表層の所望位置に前記汚れ物質を集めることを特徴とする請求項１に記載の浴槽水浄化方法。
【請求項３】
浴槽水表層に集めた汚れ物質を排出するための排出口を、前記浴槽水表層の水位を検出してモーター等で該水位に追従させることを特徴とする請求項１または請求項２に記載の浴槽水浄化方法。
【請求項４】
浴槽水表層に集めた汚れ物質を排出するための排出口を、前記浴槽水表層の水位を検出する水位検知用フロートと一体化させて、該水位に自動追従させることを特徴とする請求項１または請求項２に記載の浴槽水浄化方法。
【請求項５】
浴槽水表層に集めた汚れ物質を排出するための吸引口を浴槽壁面に設け、負圧で該吸引口から汚れ物質を吸い出すことを特徴とする請求項１または請求項２に記載の浴槽水浄化方法。
【請求項６】
前記浴槽水表層に集めた汚れ物質を、噴流により浴槽内の傾斜部に沿って上方へ押し上げ、浴槽水表層より上部に設けた排出口から排出させることを特徴とする請求項１または請求項２に記載の浴槽水浄化方法。
【請求項７】
請求項１に記載の浴槽水浄化方法を実行するために浴槽の側壁面に設けられる噴出具であって、マイクロバブルを噴出するバブル噴出口と、水流を噴出する水流噴出口が設けられていることを特徴とする浴槽水浄化のための噴出具。
【発明の詳細な説明】
【技術分野】
【０００１】
本発明は、浴槽水中の毛髪，湯垢，皮脂等の汚れ物質を効率良く除去することのできる浴槽水浄化方法および浴槽水浄化のための噴出具に関するものである。
【背景技術】
【０００２】
従来、複数の人が同じ浴槽水を用いる場合、前に利用した人の浴槽水を浄化したいという潜在的なニーズが高く、また現在では、浴槽水を翌朝まで汲み置きし、洗濯用水として使用するユーザーが増え、浴槽水の浄化という潜在的な需要も多い。また、浴槽水の浄化によって、浴槽の汚れ、掃除の手間を軽減できることにもなる。
このような需要の高まりから、浴槽水中の毛髪，湯垢，皮脂等の汚れを除去するための風呂浄化装置として、例えば特許文献１に開示されているようなものが存在する。
この特許文献１の風呂浄化装置では、収集筒内の旋回流が浴槽内に渦巻き流を作り、浴槽水表面の汚れを収集筒内に引き込み、収集筒に続く濾過フィルターで汚れを捕捉して、浴槽水を浄化する構成であり、また、浴槽水を浄化し易くするために気泡を水流中に混合させる構成ともなっている。
【特許文献１】特開２００１−２４６２０７号公報
【発明の開示】
【発明が解決しようとする課題】
【０００３】
上記特許文献１に開示されている風呂浄化装置では、濾過フィルターを用いて毛髪，湯垢，皮脂等の汚れ物質を除去して浴槽水を浄化するものであり、濾過フィルターが用いられているため、濾過フィルターの汚染およびフィルターユニットの汚染等が新たな課題となって、濾過フィルターの洗浄，交換が必要となる問題点があった。
【課題を解決するための手段】
【０００４】
本発明は上記従来の問題点に鑑み案出したものであって、フィルターを使用することなく、少ない捨て水で汚れ物質を効率良く除去できる浴槽水浄化方法および浴槽水浄化のための噴出具を提供するものであり、その請求項１の浴槽水浄化方法は、浴槽水中にある毛髪，湯垢，皮脂等の汚れ物質を、気泡を用いて浴槽水表層に浮上させ、旋回流により集めた後、浴槽外へ捨てることである。
【０００５】
また請求項２の浴槽水浄化方法は、浴槽水を旋回させるための噴流を浴槽の底面に向けて噴出させることにより、浴槽水表層の所望位置に前記汚れ物質を集めることである。
【０００６】
また請求項３の浴槽水浄化方法は、浴槽水表層に集めた汚れ物質を排出するための排出口を、前記浴槽水表層の水位を検出してモーター等で該水位に追従させることである。
【０００７】
また請求項４の浴槽水浄化方法は、浴槽水表層に集めた汚れ物質を排出するための排出口を、前記浴槽水表層の水位を検出する水位検知用フロートと一体化させて、該水位に自動追従させることである。
【０００８】
また請求項５の浴槽水浄化方法は、浴槽水表層に集めた汚れ物質を排出するための吸引口を浴槽壁面に設け、負圧で該吸引口から汚れ物質を吸い出すことである。
【０００９】
また請求項６の浴槽水浄化方法は、前記浴槽水表層に集めた汚れ物質を、噴流により浴槽内の傾斜部に沿って上方へ押し上げ、浴槽水表層より上部に設けた排出口から排出させることである。
【００１０】
また請求項７は、請求項１に記載の浴槽水浄化方法を実行するために浴槽の側壁面に設けられる噴出具であって、マイクロバブルを噴出するバブル噴出口と、水流を噴出する水流噴出口が設けられている浴槽水浄化のための噴出具である。
【発明の効果】
【００１１】
本発明の浴槽水浄化方法は、浴槽水中にある毛髪，湯垢，皮脂等の汚れ物質を、気泡を用いて浴槽水表層に浮上させ、旋回流により集めた後、浴槽外へ捨てることとしたため、気泡により浮上させ、旋回流により浴槽水表層に集めた汚れ物質を、少ない捨て水で効率良く除去して、浴槽水を綺麗に浄化することができるものとなる。
【００１２】
また、浴槽水を旋回させるための噴流を浴槽の底面に向けて噴出させることにより、浴槽水表層の所望位置に前記汚れ物質を集めることとしたため、噴流を浴槽の底面に向けて噴出させて浴槽水表層での汚れ物質を集める場所を良好にコントロールすることができ、所望位置に汚れ物質を集めることができるものとなる。
【００１３】
また、浴槽水表層に集めた汚れ物質を排出するための排出口を、前記浴槽水表層の水位を検出してモーター等で該水位に追従させることとしたため、浴槽水表層に集めた汚れ物質を排出口へ排出させる際に、排出口を浴槽水表層の水位に追従させて、排出口を浴槽水表層の位置で良好に開口させ、排出口から汚れ物質を良好に排出できるものとなる。
また、排出口を浴槽水表層の水位に追従させることができるため、排出口から排出される捨て水を減らすことができて節水効果も得られるものとなる。
【００１４】
また、浴槽水表層に集めた汚れ物質を排出するための排出口を、前記浴槽水表層の水位を検出する水位検知用フロートと一体化させて、該水位に自動追従させることとしたため、水位検知用フロートに排出口を一体化させておけば、浴槽水表層の水位の変動に対応して水位検知用フロートが上下動し、水位検知用フロートを利用して排出口を浴槽水表層の水位に自動的に追従させることができるものとなり、排出口からの捨て水を減らすことができて、排出口から良好に汚れ物質を排出することができるものとなる。
【００１５】
また、浴槽水表層に集めた汚れ物質を排出するための吸引口を浴槽壁面に設け、負圧で該吸引口から汚れ物質を吸い出すこととしたため、浴槽水表層の水位が吸引口より下がった場合でも、負圧で吸引口から汚れ物質を確実に吸い出し排出することができるものとなる。
【００１６】
また、前記浴槽水表層に集めた汚れ物質を、噴流により浴槽内の傾斜部に沿って上方へ押し上げ、浴槽水表層より上部に設けた排出口から排出させることにより、汚れ物質を浴槽水の水位に係わらず良好に排出口に押し上げて、排出口から排出させ除去できるものとなる。
【００１７】
また、浴槽水浄化のために浴槽の側壁面に設けられる噴出具には、マイクロバブルを噴出するバブル噴出口と、水流を噴出する水流噴出口が設けられていることにより、バブル噴出口からのマイクロバブルにより効率良く浴槽水中の汚れ物質を浮上させ、水流噴出口からの噴流により旋回流を発生させて、効率良く浴槽水表層に汚れ物質を集めることができるものとなる。
【実施例１】
【００１８】
以下、本発明の実施例を図面に基づいて説明する。
図１は、第１実施例の浴槽の破断構成図を示すものであり、浴槽１の側壁面１ａの底面１ｂに近い位置には噴出具２が取り付けられている。
この噴出具２は、図２に拡大して示すように、バブル噴出口２ａと、下向きの水流噴出口２ｂが設けられたものであり、バブル噴出口２ａは図示しないバブルポンプに接続されて、バブルポンプの作動により浴槽水中にマイクロバブルを噴出させることができるものである。また、水流噴出口２ｂは、図示しないジェットポンプ等に接続されており、浴槽１内の浴槽水を吸い込んで、これを下向きに浴槽の底面１ｂに向けて噴出させて、浴槽水を浴槽１内で旋回させる旋回流を浴槽１内に発生させることができるものである。
なお、水流噴出口２ｂから底面１ｂに向かって複数方向、例えば三方に水流を噴出させることができるように構成されている。
【００１９】
また、浴槽の側壁面１ａの上部部位には、浴槽水により上下方向に浮上移動できるように水位検知用フロート３が取り付けられており、この水位検知用フロート３は、側壁面１ａに固定具３ａを介して上下動可能に取り付けられ、水位検知用フロート３の上面側には排出口４が一体形成されており、この排出口４は外部の排水トラップへ通じる排水パイプ５に連通接続されている。
なお、図中１ｄは、浴槽１の上面のフランジ部である。
【００２０】
このような構成において、バブル噴出口２ａからマイクロバブルを浴槽水中に噴出させることにより、浴槽水中に存在する毛髪，湯垢，皮脂等の汚れ物質をマイクロバブルで良好に浴槽水表層Ｗａへ浮上させることができるものである。
バブル噴出口２ａからのマイクロバブルの噴出と同時、あるいはその後に、水流噴出口２ｂから水流を噴出させることで浴槽内に旋回流を発生させることができ、この旋回流により、浴槽水表層Ｗａに浮上した汚れ物質Ｄを排出口４側に集めることができるものとなる。なお、これは水流噴出口２ｂからの噴流を浴槽の底面１ｂに向けて噴出させる角度や方向をコントロールすることにより、良好に排出口４側の所望位置へ汚れ物質Ｄを集めることができるものである。
【００２１】
集められた汚れ物質Ｄは、排出口４に流れ込み、浴槽水の一部とともに排水パイプ５から排水トラップへ排出されてゆく。
なお、水位検知用フロート３が浴槽水の水位に追従して自動的に上下動するため、排出口４を良好に浴槽水表層Ｗａの位置に配置することができ、排出口４から排出される浴槽水は極めて少量となり、捨て水を少なくできて節水効果が得られるものとなる。
【００２２】
このように、マイクロバブル等の気泡を用いて浴槽水表層Ｗａへ浴槽水中の汚れ物質を浮上させ、旋回流により良好に汚れ物質を排水口４側へ集めて、ゆっくりと排出口４から汚れ物質を排出させて、浴槽水を効率良く浄化することができるものであり、例えば、一人の人が入浴後に、気泡と旋回流を発生させて、次の人が入浴する前に浴槽水を綺麗にしておくことができるものである。
【実施例２】
【００２３】
次に、図３および図４では、第２実施例を説明する。
図３に、浴槽の縦断面拡大構成図を示すように、浴槽の側壁面１ａの下部の底面１ｂ側には、第１実施例と同様に、バブル噴出口２ａと水流噴出口２ｂを備えた噴出具２が設けられており、また側壁面１ａの上部部位の浴槽水表層Ｗａ付近には、回転部材７が設けられている。
【００２４】
この回転部材７には、図４の正面図で示すように、排出口４が貫通形成されており、回転部材７はモーター８により垂直面内で回動されるものであり、回転部材７は保持部材９内で回転されるように構成され、保持部材９は、浴槽の外側より固定部材１０を締め付けて浴槽の側壁面１ａに固定されている。
なお、保持部材９には、排水トラップへ通じる排水パイプＰが接続される排水口９ａが下方側に開口されている。この排水パイプＰにはバルブＢを設けておくことができる。
【００２５】
また、浴槽の底面１ｂの底側には、浴槽水の水位を検知する水位センサー６が取り付けられている。
このような構成において、水位センサー６により浴槽水表層Ｗａの位置を検知して、水位センサー６からの信号に基づきモーター８を作動させて、回転部材７を回転させ、回転部材７に形成されている排出口４を浴槽水表層Ｗａの位置に整合させることができるものである。即ち、浴槽水表層Ｗａの水位が変動しても、良好に浴槽水表層Ｗａの水位までモーター８で排出口４を昇降させることができるものである。
【００２６】
なお、バブル噴出口２ａからは、マイクロバブル等の気泡が噴出されて、浴槽水中の汚れ物質を良好に浴槽水表層Ｗａ側へ浮上させることができるものであり、また水流噴出口２ｂから噴出される水流により、浴槽水に旋回流を発生させて汚れ物質を浴槽水表層Ｗａの排水口４側に良好に集めることができ、集めた汚れ物質を排出口４から僅かな浴槽水とともに排水口９ａを通して排水トラップへ排出し、浴槽水を良好に浄化することができるものである。
このように、回転部材７とモーター８で確実に排出口４を浴槽水表層Ｗａの位置に整合させることができるため、排出口４からの捨て水を減らすことができ、効率良く汚れ物質を排出できるものとなる。
なお、人が浴槽に入って水位が上がった際には、浴槽水を排水してしまわないように排水パイプＰのバルブＢが閉じられる。
【実施例３】
【００２７】
次に、図５に浴槽を破断斜視図で示すものは、第３実施例であり、図５では、浴槽の側壁面１ａの底面１ｂ側に、バブル噴出口２ａと水流噴出口２ｂを備えた噴出具２が取り付けられており、また、側壁面１ａの上部部位には吸引部材１１が取り付けられている。
この吸引部材１１は、図示しない吸引ポンプにパイプ等を介して接続されており、吸引部材１１には、浴槽１の内側で下向きに開口する吸引口１１ａが設けられている。
【００２８】
本例においても、バブル噴出口２ａから噴出される気泡により浴槽水中の汚れ物質を浮上させ、水流噴出口２ｂから噴出される水流により旋回流を発生させて、良好に汚れ物質を浴槽水表層の吸引口１１ａ側へ集めることができるものであり、この集めた汚れ物質を、吸引ポンプを作動させて吸引口１１ａから負圧により強力に吸い出すことができるように構成したものである。
負圧により強力に汚れ物質を吸引口１１ａから吸い出すことができるために、浴槽水表層Ｗａの水位が吸引口１１ａよりも下がっている場合でも、確実に汚れ物質を吸い上げて、排水トラップ等へ排出することができ、効率良く汚れ物質を除去して浴槽水を浄化することができるものである。
【実施例４】
【００２９】
次に、図６の斜視構成図で、また図７の側壁面の正面図で、また図８の側面概略構成図で示す浴槽は、第４実施例であり、この浴槽１は、長尺側の左右の側壁面１ａに凹ませてスロープ（傾斜部）１ｃ，１ｃが左右側に形成されており、このスロープ１ｃ，１ｃは、浴槽の底面１ｂ側からフランジ部１ｄ側に向かって緩やかに湾曲して上傾する水平面で構成されており、この左右のスロープ１ｃ上には、ブーメラン状の手摺り１２がそれぞれ取り付けられている。
【００３０】
本例では、この手摺り１２の下端側のスロープ１ｃに水流噴出口２ｂが開口されており、手摺り１２の上端側のスロープ１ｃには、排出口４が開口されている。
水流噴出口２ｂには、図示しないジェットポンプに接続された循環パイプ１３が接続され、また排出口４には、図示しない排水トラップへ連通する排水パイプ５が接続されている。この排水パイプ５および循環パイプ１３は、浴槽の側壁面１ａの外側空間に設けることができるものであり、また排出口４および水流噴出口２ｂは、手摺り１２により良好に覆蓋させて隠蔽状に側壁面１ａの外側から取り付けることができ、排出口４および水流噴出口２ｂが見えないスッキリとしたデザインにすることができるものである。
【００３１】
なお、手摺り１２の下端側は、例えば断面コの字状に形成しておき、手摺り１２の上端側はパイプ状に形成しておくことができるものである。なお、この浴槽１には、別途側壁面１ａの底面１ｂ側に気泡を噴出させるバブル噴出口２ａが設けられるものであるが、図面の複雑化を避けるために、バブル噴出口２ａは省略して図示している。
【００３２】
このような構造においては、図示しないバブル噴出口２ａから噴出される気泡により、浴槽水中にある汚れ物質が良好に浮上し、また水流噴出口２ｂから噴出される噴流により浴槽内で旋回流が発生して、良好に汚れ物質をスロープ１ｃ上の浴槽水表層に集めることができるものであり、スロープ１ｃ上の浴槽水表層に集められた汚れ物質を水流噴出口２ｂから噴出される噴流により、スロープ１ｃに沿って上方へ押し上げて、上方の排出口４から汚れ物質を排出することができ、浴槽水表層の水位に係わらず、スロープ１ｃに沿って汚れ物質を排出口４へ向かって押し上げて除去することができるものである。
【００３３】
なお、更には、水流噴出口２ｂから噴出される噴流をパイプ状の手摺り１２内に噴出させて、汚れ物質を手摺り１２内を通して排出口４へ排出することができるように構成することもできる。
【実施例５】
【００３４】
次に、図９に破断斜視図で示す浴槽は、第５実施例であり、浴槽１の図示右側の短尺側壁面１ａと、直交する長尺側壁面の底面１ｂ側には、バブル噴出口２ａを備えた噴出具がそれぞれ取り付けられており、このバブル噴出口２ａには、それぞれ浴槽の外側を回して配管が接続され、配管はバブルポンプ１５に接続されている。
このバブルポンプ１５側の短尺側壁面１ａの上部部位には、外側に固定受け具１７が取り付けられ、この固定受け具１７の上面に排出口４が開口されており、固定受け具１７の下端には、排水トラップ等へ連通する排水パイプ５が接続されている。
【００３５】
なお、排出口４は、短尺側壁面１ａの上端に切欠き状に形成された壁面切欠き部１ｅの高さ位置とほぼ同等の高さ位置に配置されている。
一方、対向する短尺側壁面１ａの上部部位には、水流噴出口２ｂ，２ｂが設けられており、この水流噴出口２ｂ，２ｂには、それぞれ循環パイプ１３が外側から接続されて、循環パイプ１３はジェットポンプ１４に接続されている。
【００３６】
なお、この短尺側壁面１ａの下部部位には、浴槽水の吸込口１８が形成されており、ジェットポンプ１４が運転されることで、吸込口１８から浴槽水を吸い込んで水流噴出口２ｂから水流を噴出させることができるように構成されている。
また、短尺側壁面１ａの上部部位の水流噴出口２ｂ，２ｂの間に湯張り口１６が設けられており、この湯張り口１６は外部からパイプが接続され、この湯張り口１６から浴槽内に足し湯することができるように構成されている。
【００３７】
このような構成において、バブルポンプ１５が作動されて、バブル噴出口２ａ，２ａから気泡が浴槽水中に噴出されることで、気泡を用いて浴槽水中の汚れ物質を浴槽水表層に浮上させることができ、また、ジェットポンプ１４が作動されることで、水流噴出口２ｂ，２ｂから噴出される水流で浴槽水に旋回流が生じ、旋回流により浮上した汚れ物質を良好に排出口４側の浴槽水表層に集めることができるものである。
【００３８】
なお、排出口４は、側壁面１ａの外側に固定状に配置されているため、この排出口４へ集められた汚れ物質を排出するために、湯張り口１６から浴槽１内に足し湯がなされ、足し湯により水位が上昇して、浴槽水表層が壁面切欠き部１ｃを乗り越えて、浴槽水とともに汚れ物質は良好に排出口４内に流れ込み排出されるものである。
本例では、湯張り口１６からの足し湯で水位を上昇させて、集められた汚れ物質を確実に排出口４へ排出して、浴槽水を効率良く浄化することができるものである。
【図面の簡単な説明】
【００３９】
【図１】第１実施例の浴槽の破断斜視構成図である。
【図２】噴出具の拡大斜視構成図である。
【図３】第２実施例の浴槽の縦断面拡大構成図である。
【図４】回転部材の正面構成図である。
【図５】第３実施例の浴槽の破断斜視構成図である。
【図６】第４実施例の浴槽の斜視構成図である。
【図７】第４実施例の浴槽のスロープと手摺りの正面構成図である。
【図８】スロープの部分の側面構成図である。
【図９】第５実施例の浴槽の破断斜視構成図である。
【符号の説明】
【００４０】
１  浴槽
１ａ  側壁面
１ｂ  底面
１ｃ  スロープ（傾斜部）
１ｄ  フランジ部
２  噴出具
２ａ  バブル噴出口
２ｂ  水流噴出口
３  水位検知用フロート
４  排出口
５  排水パイプ
６  水位センサー
７  回転部材
８  モーター
９  保持部材
９ａ  排水口
１１  吸引部材
１１ａ  吸引口
１２  手摺り
１３  循環パイプ
１４  ジェットポンプ
１５  バブルポンプ
１６  湯張り口
１７  固定受け具
Ｄ  汚れ物質
Ｗａ  浴槽水表層
【図１】
2008167877.tif 000003
【図２】
2008167877.tif 000004
【図３】
2008167877.tif 000005
【図４】
2008167877.tif 000006
【図５】
2008167877.tif 000007
【図６】
2008167877.tif 000008
【図７】
2008167877.tif 000009
【図８】
2008167877.tif 000010
【図９】
2008167877.tif 000011